(57)【要約】【課題】オフィス等の限られたスペースにおいて、効率的にスペースを利用して設備を適切に配置することを可能にするポールを提供する。【解決手段】設備を使用するオフィスに設置されるポール１であって、設備に含まれるパソコン１１ａ〜１１ｈ等の電気機器を電源や通信路に接続するためのコードを挿通可能な一又は複数の空洞２１ａ〜２１ｄを有するポール本体１ａ，１ｂと、ポール本体１ａ，１ｂに複数種類の設備を取付け可能な設備取付部材１２ａ〜１２ｄとを有する。各ポール本体１ａ，１ｂは、オフィスの任意の位置に設置されたとき、設備取付部材１２ａ〜１２ｄを介して設備を支持する。【選択図】  図１
2004293082.tif 000002
【特許請求の範囲】
【請求項１】
設備を使用する場所に設置されるポールであって、
前記設備に含まれる電気機器を電源や通信路に接続するためのコードを挿通可能な一又は複数の空洞を有するポール本体と、前記ポール本体に複数種類の設備を取付け可能な取付手段とを有し、
前記ポール本体は、前記場所の任意の位置に設置されたとき、前記取付手段を介して前記設備を支持する
ことを特徴とするポール。
【請求項２】
請求項１記載のポールにおいて、前記取付手段は、
前記空洞と前記ポール本体の外部とを連通する開口と、
前記開口の任意の位置で前記設備を前記ポール本体に着脱自在に取付け可能な取付部材とを含む
ことを特徴とするポール。
【請求項３】
請求項１又は２記載のポールにおいて、前記空洞は、前記ポール本体の略全長に亘って設けられている
ことを特徴とするポール。
【請求項４】
請求項３記載のポールにおいて、前記開口は、前記ポール本体の略全長に亘って設けられている
ことを特徴とするポール。
【請求項５】
請求項１乃至４のいずれか記載のポールにおいて、前記コードは、同軸ケーブル、ＬＡＮケーブル、光ケーブル、電話線、又は電線である
ことを特徴とするポール。
【請求項６】
請求項１乃至５のいずれか記載のポールにおいて、前記設備は、照明機器、電話機、テレビ、情報機器、電気的接続部材等の電気機器である
ことを特徴とするポール。
【請求項７】
設備を使用する場所に設置されるポールであって、
ポール本体と、前記ポール本体に前記設備を取付け可能な取付手段とを有し、
前記ポール本体は、前記場所の任意の位置に設置されたとき、前記取付手段を介して前記設備を支持する
ことを特徴とするポール。
【請求項８】
請求項７記載のポールにおいて、前記設備は、家具であり、
前記取付手段は、前記家具を前記ポール本体の外側任意の位置に着脱自在に取付け可能な取付部材である
ことを特徴とするポール。
【請求項９】
請求項１乃至８のいずれか記載のポールにおいて、前記ポール本体は、前記場所が屋内のときは、床面に又は床と天井の間に立設する
ことを特徴とするポール。
【請求項１０】
請求項１乃至９のいずれか記載のポールにおいて、前記ポール本体は、前記場所が屋外のときは、地面又は床面に立設する
ことを特徴とするポール。
【発明の詳細な説明】
【０００１】
【発明の属する技術分野】
本発明は、設備を使用するオフィス等の場所に設置されるポールに関する。
【０００２】
【従来の技術】
一般に、電気機器、家具等の設備を使用するオフィス等の場所では、各設備は必要とされ又は使用し易い位置に配置されるが、設備の形状、構造、数、又はその場所の構造等によって設置位置は限られている。即ち、限られたスペースを活用して設備を適切に配置することが重要である。
【０００３】
そこで、「共有空間構造体」が提案されている（例えば、特許文献１参照）。ここでいう共有空間構造体とは、オフィス等のオープン化を図るために、所要目的のために構築した空間構造体が、それ以外の外部空間と充分開放された関係で連接している構造体であって、ポールとフレーム部材の組み合わせにより、堅牢で、かつ部屋のどこにも損傷を与えない、部屋の広さと形に対応できるものである。そして、所要の空間を得るために、３本のポールと３本のフレームとで構成される最小共有空間構造体を少なくとも１つ以上有している。
【０００４】
【特許文献１】
特開２００２−１３８６９２号公報
【０００５】
【発明が解決しようとする課題】
上記の共有空間構造体は、オフィス等において所要空間を画定するために構築される壁やパーティションに取って代わるものとして提案され、所要空間を得るために少なくとも３本のポールと３本のフレームを必要としている。しかしながら、オフィス等の限られたスペースにおける設備の配置について考えた場合、新たに空間を画定してそこに設備を配置するよりも、ポールを少なくとも１本設置するだけで設備を支持できるならば、格段に効率がよい。
【０００６】
本発明の目的は、オフィス等の限られたスペースにおいて、効率的にスペースを利用して設備を適切に配置することを可能にするポールを提供することである。
【０００７】
【課題を解決するための手段】
本発明のポールは、設備（例えば、後述のテーブル５Ａ，５Ｂなど）を使用する場所（例えば、オフィスなど）に設置されるポール（例えば、後述のポール１）であって、前記設備に含まれる電気機器（例えば、後述のパソコン１１ａ，１１ｂ，１１ｃ，１１ｄ，１１ｅ，１１ｆ，１１ｇ，１１ｈなど）を電源や通信路に接続するためのコード（例えば、後述のコード１５３など）を挿通可能な一又は複数の空洞（例えば、後述の空洞２１ａ，２１ｂ，２１ｃ，２１ｄ）を有するポール本体（例えば、後述のポール本体１ａ，１ｂなど）と、前記ポール本体に複数種類の設備を取付け可能な取付手段（例えば、後述の設備取付部材１２ａ，１２ｂ，１２ｃ，１２ｄ及び開口２４ａ，２４ｂ，２４ｃ，２４ｄなど）とを有し、前記ポール本体は、前記場所の任意の位置に設置されたとき、前記取付手段を介して前記設備を支持することを特徴とする。
【０００８】
本発明の具体的態様は、前記取付手段は、前記空洞と前記ポール本体の外部とを連通する開口と、前記開口の任意の位置で前記設備を前記ポール本体に着脱自在に取付け可能な取付部材とを含むことを特徴とする。
【０００９】
本発明の具体的態様は、前記空洞は、前記ポール本体の略全長に亘って設けられていることを特徴とする。
【００１０】
本発明の具体的態様は、前記開口は、前記ポール本体の略全長に亘って設けられていることを特徴とする。
【００１１】
本発明の具体的態様は、前記コードは、同軸ケーブル、ＬＡＮケーブル、光ケーブル、電話線、又は電線であることを特徴とする。
【００１２】
本発明の具体的態様は、前記設備は、照明機器、電話機、テレビ、情報機器、電気的接続部材等の電気機器であることを特徴とする。
【００１３】
本発明の別のポールは、設備を使用する場所に設置されるポールであって、ポール本体と、前記ポール本体に前記設備を取付け可能な取付手段とを有し、前記ポール本体は、前記場所の任意の位置に設置されたとき、前記取付手段を介して前記設備を支持することを特徴とする。
【００１４】
本発明の具体的態様は、前記設備は、家具であり、前記取付手段は、前記家具を前記ポール本体の外側任意の位置に着脱自在に取付け可能な取付部材であることを特徴とする。
【００１５】
本発明の具体的態様は、前記ポール本体は、前記場所が屋内のときは、床面に又は床と天井の間に立設することを特徴とする。
【００１６】
本発明の具体的態様は、前記ポール本体は、前記場所が屋外のときは、地面又は床面に立設することを特徴とする。
【００１７】
【作用及び効果】
本発明によれば、ポール本体は、少なくとも１本設置すれば、複数種類の設備を取付可能な取付手段を介して設備を支持できるので、設備を立体的に配置することができる。また、ポール本体を設置場所の任意の位置に設置することができる。これによって、オフィス等の限られたスペースにおいて、効率的にスペースを利用して設備を適切に配置することができる。さらに、電気機器を電源や通信路に接続するコードをポール本体に挿通することにより、コードが床上に露出して美観を損なったり歩行の妨げになったりするのを防止できる。
【００１８】
本発明の実施態様では、取付手段は、ポール本体の空洞とポール本体の外部とを連通する開口と、その開口の任意の位置に着脱自在に取付け可能な取付部材とを含んでいる。これによって、設備を開口の任意の位置に取付けることができる。
【００１９】
また、空洞をポール本体の略全長に亘って設けるようにしてもよい。これによって、コードを空洞内のポール本体略全長に亘って挿通させることができる。
【００２０】
また、開口をポール本体の略全長に亘って設けるようにしてもよい。これによって、設備をポール本体の略全長に亘って開口の任意の位置に取付けることができる。
【００２１】
また、コードは、同軸ケーブル、ＬＡＮケーブル、光ケーブル、電話線、又は電線を採用することができる。
【００２２】
また、設備は、照明機器、電話機、テレビ、情報機器、又は電気的接続部材等の電気機器を採用することができる。
【００２３】
本発明の別のポールでは、ポール本体は、少なくとも１本設置すれば、取付手段を介して設備を支持するので、設備を立体的に配置することができる。また、設置場所の任意の位置に設置することができる。これによって、効率的にスペースを利用して、設備を適切に配置することができる。
【００２４】
また、設備として家具を採用したときは、取付手段は、家具をポール本体の外側任意の位置に着脱自在に取付け可能な取付部材にしてもよい。
【００２５】
また、ポールの設置場所が屋内のときは、ポール本体は、床面に又は床と天井の間に立設するようにしてもよい。
【００２６】
また、ポールの設置場所が屋外のときは、ポール本体は、地面又は床面に立設するようにしてもよい。
【００２７】
【発明の実施の形態】
図１は、第１実施例のポール１を適用したオフィスの一部を示している。ここでは、オフィスの床２と天井３の間に２組のポール１が鉛直に立設され、ポール１の周囲に事務作業を行うためのスペース（以下「島」という。）４Ａ，４Ｂが構成されている。
【００２８】
図において、右側の島４Ａについて説明する。ポール本体１ａには、下から順に、テーブル５Ａ、電話機６ａ，６ｂ、棚７ａ，７ｂ、及び照明機器（例えば、蛍光灯）８ａが取付けられている。テーブル５Ａは、ポール本体１ａに水平に取付けられたテーブル天板５ａ，５ｂ，５ｃ，５ｄによって構成されている。テーブル天板５ａ上には、本体を含むモニタ９とキーボード１０とからなるパソコン１１ａが配置されており、同様のパソコン１１ｂ，１１ｃ，１１ｄが、テーブル天板５ｂ，５ｃ，５ｄ上に配置されている。電話機６ａ，６ｂは、ポール本体１ａに取付けられた、取付手段の一例の設備取付部材１２ａ，１２ｂを介して支持されている。棚７ａ，７ｂには、本等が据えられている。島４Ａは、テーブル天板５ａ，５ｂ，５ｃ，５ｄに対応する位置に椅子１３ａ，１３ｂ，１３ｃ，１３ｄが配置されて、４人が事務作業を行えるようになっている。
【００２９】
左側の島４Ｂは、島４Ａと同様である。ポール本体１ｂは、テーブル５Ｂ、電話機６ｃ，６ｄ、棚７ｃ，７ｄ、及び照明機器８ｂを支持する。テーブル５Ｂは、テーブル天板５ｅ，５ｆ，５ｇ，５ｈによって構成されている。テーブル天板５ｅ，５ｆ，５ｇ，５ｈ上には、パソコン１１ａと同様のパソコン１１ｅ，１１ｆ，１１ｇ，１１ｈが配置されている。電話機６ｃ，６ｄは、設備取付部材１２ｃ，１２ｄを介して支持されている。棚７ｃ，７ｄには、本やＣＤ等が置かれている。テーブル天板５ｅ，５ｆ，５ｇ，５ｈに対応する位置には、椅子１３ｅ，１３ｆ，１３ｇ，１３ｈが配置されている。
【００３０】
第１実施例のポール１は、少なくとも１本のポール本体と設備取付手段とを設置できるスペースがあれば、既存の設備によって設置位置を制限されることなく、オフィス内の任意の位置に設置することができる。そして、上記のように、ポール本体１ａ，１ｂに沿った上下方向の空間を利用して設備を配置することができるため、効率的にスペースを利用して設備を適切に配置することができる。
【００３１】
図２は、第１実施例のポール１におけるポール本体１ａの斜視図で、（Ａ）はこのポール本体１ａの正面側から見た図、（Ｂ）はその側面図である。ポール本体１ａは、その内部に、全長に亘って４つの空洞２１ａ，２１ｂ，２１ｃ，２１ｄが形成された管体である。空洞２１ａ，２１ｂ，２１ｃ，２１ｄは、ポール本体１ａの内部を、十字形の仕切り２２によって、半径方向に４つに仕切ることによって形成されている。空洞２１ａ，２１ｂ，２１ｃ，２１ｄは、ポール本体１ａを上から見て、時計回りに配置されているものとする。仕切り２２の中心には、ポール本体１ａの全長に亘って貫通する貫通孔２３が設けられている。仕切り２２には、貫通孔２３に直交して、且つ貫通孔２３を挟んで対向する空洞２１ａ，２１ｃ及び空洞２１ｂ，２１ｄを連通する設備取付孔２６が設けられている。設備取付孔２６は、ポール本体１ａの全長に亘って所定の間隔（例えば、５ｃｍ間隔）毎に交互に９０°ずらして設けられている。
【００３２】
ポール本体１ａの周壁は、ポール本体１ａの全長に亘って、所定の幅で直線的に切り欠いてある。その切り欠きは、空洞２１ａ，２１ｂ，２１ｃ，２１ｄと連通するように４本設けられ、取付手段の一部を構成する開口２４ａ，２４ｂ，２４ｃ，２４ｄを形成している。ポール本体１ａの開口２４ａ，２４ｂ，２４ｃ，２４ｄの縁をなす部分は、開口縁部２５ａ，２５ｂ，２５ｃ，２５ｄ，２５ｅ，２５ｆ，２５ｇ，２５ｈを形成している。ポール本体１ａの材質は、アルミニウム合金等の軽量且つ強靭なものがよい。
【００３３】
図３は、第１実施例のポール１において、ポール本体１ａの下部をオフィスの床２に固定するための下部固定部材３１の平面図である。下部固定部材３１は、円形の台座部３２と立設部３３とからなる金属製の部材である。
【００３４】
台座部３２の外周面は、下方に向かって拡大するテーパ状に形成されている。台座部３２の中央には、上方から、ポール本体１ａの外径と等しい径の円形陥部３４が設けられている。円形陥部３４の周面は、摺合面３５として形成されている。円形陥部３４の底面には、台座部３２を貫通する孔３６が、円形陥部３４の同心円上に９０°間隔で４つ設けられている。
【００３５】
立設部３３は、円形陥部３４の底面に立設する４つの略直角部材３７からなる。略直角部材３７は、矩形板を、その矩形板の縦中心線の左右の部分を、所定の位置で４５°ずつ谷折りにして形成されている。所定の位置とは、矩形板の縦中心線から僅かに左右に位置する、縦中心線と平行な線である。これによって、略直角部材３７は、その縦中心線付近で、略直角に曲折している。略直角部材３７は、略直角の部分を円形陥部３４の中心に向けて、互いに所定の間隔で立設し、台座部３２に対し溶接その他の固着手段により一体に固定されている。略直角部材３７同士の間隔は、ポール本体１ａの仕切り２２を嵌合するための十字形の嵌合溝３８を形成している。また、略直角部材３７には、孔３９が、上下に２個ずつ、２列に亘って設けられている。孔３９は、隣り合う略直角部材３７の孔３９と連通するように位置している。
【００３６】
図４は、第１実施例のポール１において、ポール本体１ａの下部を床２に固定した状態を示す断面図である。図５は、図４のＶ−Ｖ線断面図である。
【００３７】
図４及び図５に基づいて、ポール１を床２に立設する方法を説明する。まず、ポール本体１ａの下部固定部材３１への固定方法を説明する。ポール本体１ａの仕切り２２の下端を、下部固定部材３１の立設部３３の上方から、嵌合溝３８に嵌め込む。このとき、ポール本体１ａは、ポール本体１ａの下端が下部固定部材３１の円形陥部３４に差し掛かってから円形陥部３４の底面に当接するまでの間、ポール本体１ａの下部外周面が円形陥部３４の摺合面３５と摺れ合いながら、円形陥部３４に嵌め込まれる。仕切り２２には、予め孔４１が設けられており、ポール本体１ａが円形陥部３４に嵌め込まれたときは、孔４１と略直角部材３７の孔３９とが連通するようになっている。ここで、ボルト４２を、一方の孔３９から孔４１を通して、もう一方の孔３９に挿通させる。ポール１は、ナット４３をボルト４２に締付けることによって、下部固定部材３１に固定される。
【００３８】
次に、下部固定部材３１の床２への固定方法を説明する。床２には、下部固定部材３１の円形陥部３４の底面に設けられた孔３６の位置に対応して、アンカーボルト４４を打ち込んでおく。下部固定部材３１は、アンカーボルト４４を孔３６に挿通させて、床２に据え置く。下部固定部材３１は、孔３６を通って円形陥部３４の底面に突出するアンカーボルト４４を、ナット４５で締付けることによって、床２に固定される。これによって、ポール１は、床２に鉛直に立設する。
【００３９】
図６は、第１実施例のポール１において、ポール本体１ａの上部をオフィスの天井３に固定するための、上部固定部材６１の構成を示す斜視図である。上部固定部材６１は、ナット部材６２、ボルト状のネジ部材６３、ナット７８、及び圧接部材６４で構成されている。
【００４０】
ナット部材６２は、座付ナット６５とナット保持部６６とからなる。座付ナット６５は、底面に円形の座面７４（図７）が設けられているナットである。ナット保持部６６には、ポール本体１ａの仕切り２２に嵌め込むための十字形の嵌合溝６７が、下方に開口して設けられている。嵌合溝６７の上端には、ナット保持部６６の外部に隣接する位置に、当接部６８が形成されている。ナット保持部６６の上面には、座付ナット６５の上部が回転自在に貫通する円形開口６９が、嵌合溝６７と連通して設けられている。
【００４１】
ネジ部材６３は、その周面に、座付ナット６５及びナット７８のネジ溝に噛み合うネジ山を形成した棒状の部材である。
【００４２】
圧接部材６４は、ポール本体１ａを輪切りにした形状と同様である。圧接部材６４は、内部を仕切り７０によって半径方向に十字に仕切ることによって、４つの空洞７１ａ，７１ｂ，７１ｃ，７１ｄが形成されている。圧接部材６４の周壁には、空洞７１ａ，７１ｂ，７１ｃ，７１ｄと連通する開口７２ａ，７２ｂ，７２ｃ，７２ｄが設けられている。圧接部材６４の開口７２ａ，７２ｂ，７２ｃ，７２ｄの縁をなす部分は、開口縁部７３ａ，７３ｂ，７３ｃ，７３ｄ，７３ｅ，７３ｆ，７３ｇ，７３ｈを形成している。仕切り７０の中心には、ポール本体１ａの貫通孔２３と同径の貫通孔７９が設けられている。
【００４３】
次に、上部固定部材６１のポール本体１ａへの取付方法について説明する。図７に示すように、座付ナット６５をナット保持部６６の下方から嵌合溝６７の中心部に挿入し、座付ナット６５の上部を円形開口６９に貫通させて保持する。ナット保持部６６の嵌合溝６７を、当接部６８の下端が仕切り２２の上端の一部に当接する位置に達するまで、仕切り２２に嵌め込むことにより、ポール本体１ａの上端にナット部材６２が取付けられる（図８）。
【００４４】
次に、ネジ部材６３の下端をナット部材６２の座付ナット６５にねじ込んでいく。このとき、ネジ部材６３が回転しないように手で保持しておけば、座付ナット６５を回転させることによって、ネジ部材６３を座付ナット６５にねじ込むことができる。ネジ部材６３は、座付ナット６５にねじ込まれたときは、仕切り２２の貫通孔２３の内部に回転自在に挿通される。
【００４５】
次に、座付ナット６５にねじ込まれたネジ部材６３の上方からナット７８をねじ込んでいく。ナット７８は、ネジ部材６３が所定の長さ（例えば、１．５ｃｍ）だけナット７８の上面に突出するまでねじ込んでおくのがよい。圧接部材６４は、ナット７８の上面に突出したネジ部材６３の上部を貫通孔７９に嵌め込み、ナット７８の上面に係止された状態で、ネジ部材６３の上部に取付けられる。これにより、図８に示すように、ネジ部材６３の先端は貫通孔７９を貫通して、圧接部材６４の上面に僅かに突出する。このとき、圧接部材６４は、これとネジ部材６３が回転しないように手で保持しておけば、座付ナット６５を回転させるだけで、ネジ部材６３と共に上下動する。
【００４６】
上部固定部材６１は、ポール本体１ａの空洞２１ａ，２１ｂ，２１ｃ，２１ｄと圧接部材６４の空洞７１ａ，７１ｂ，７１ｃ，７１ｄとを連通させて、ポール本体１ａの上端に取付けることができる。このとき、ポール本体１ａの開口２４ａ，２４ｂ，２４ｃ，２４ｄ及び開口縁部２５ａ，２５ｂ，２５ｃ，２５ｄ，２５ｅ，２５ｆ，２５ｇ，２５ｈと圧接部材６４の開口７２ａ，７２ｂ，７２ｃ，７２ｄ及び開口縁部７３ａ，７３ｂ，７３ｃ，７３ｄ，７３ｅ，７３ｆ，７３ｇ，７３ｈとは、ポール本体１ａの上下方向に連続的な配置となる。
【００４７】
図７は、図６のナット部材６２のＶＩＩ−ＶＩＩ線断面図である。図に示すように、ナット部材６２の上部を形成している当接部６８は、座付ナット６５の座面７４よりも僅かに厚い、すなわち嵌合溝６７の上端をなす当接部６８の下端は、座付ナット６５の下面よりも低い位置にある。ナット保持部６６の上面に形成した円形開口６９は、座付ナット６５の上部が回転自在に貫通可能で、座面７４の外径よりも小さい直径を有する。
【００４８】
ナット部材６２は、前述のように下方から座付ナット６５を挿入して、座付ナット６５の上部を円形開口６９の上方へ突出させた状態になるが、このとき、座付ナット６５の円形の座面７４の外周部分は、ナット保持部６６の円形開口６９の周縁部７５に止められる。このため、円形開口６９の上方に突出した座付ナット６５の上部を把持すれば、座付ナット６５とナット部材６２を略一体的に保持することができる。前述のように、ナット部材６２をポール本体１ａの仕切り２２に取付けたとき、当接部６８の下端が仕切り２２の上端の一部に当接する。このとき、座付ナット６５は、座面７４の外周部分が、ナット保持部６６の周縁部７５と仕切り２２の上端との間に位置して、回転自在に保持される。
【００４９】
図８は、第１実施例のポール１において、ポール本体１ａの上部に上部固定部材６１を取付けた状態を示す斜視図である。ナット部材６２は、当接部６８の下端が仕切り２２の上端の一部に当接する位置に達するまで、嵌合溝６７を仕切り２２に嵌め込むことにより、ポール本体１ａに取付けられている。前述のように、座付ナット６５にはネジ部材６３がねじ込まれ、ネジ部材６３の上部にはナット７８がねじ込まれている。圧接部材６４は、貫通孔７９にネジ部材６３を貫通させて、ナット７８の上面に係止されている。ネジ部材６３の先端は、圧接部材６４の上面に僅かに突出している。
【００５０】
ポール本体１ａの上部を天井３に固定するときは、圧接部材６４及びネジ部材６３が回転しないように保持しながら、手或いはスパナ等の工具を使って座付ナット６５を回転させて、ナット７８の上面に係止されている圧接部材６４の上面を天井３に当接させる。次に、スパナ等の工具を使って座付ナット６５を回転させることによって、圧接部材６４の上面が天井３に圧接する。これにより、ポール本体１ａの上部は、天井３に固定される。これと同時に、ネジ部材６３の先端は天井３に圧入する。これによって、圧接部材６４の水平方向への移動を防止することができる。また、予め天井３にポール本体１ａの設置点を決めておけば、圧接部材６４の上面に突出するネジ部材６３の先端をその設置点に当接させるようにして、容易にポール本体１ａを適切な位置に設置することができる。また、ポール１を設置するときは、ポール本体１ａに上部固定部材６１を取付けてから、図４で説明したようにして、ポール本体１ａの下部を床に固定するようにしてもよい。
【００５１】
上記のようにしてポール本体１ａの上部を天井３に固定したときは、ポール本体１ａの空洞２１ａ，２１ｂ，２１ｃ，２１ｄ、開口２４ａ，２４ｂ，２４ｃ，２４ｄ及び開口縁部２５ａ，２５ｂ，２５ｃ，２５ｄ，２５ｅ，２５ｆ，２５ｇ，２５ｈと圧接部材６４の空洞７１ａ，７１ｂ，７１ｃ，７１ｄ、開口７２ａ，７２ｂ，７２ｃ，７２ｄ及び開口縁部７３ａ，７３ｂ，７３ｃ，７３ｄ，７３ｅ，７３ｆ，７３ｇ，７３ｈとの上下方向に連続的な配置にすることができる。これによって、電気機器を電源や通信路に接続するためのコード１５３（図１５）を、天井３の裏側からポール本体１ａの空洞２１ａ，２１ｂ，２１ｃ，２１ｄへと、容易に引き込むことができる。
【００５２】
図９は、第１実施例のポール１において、ポール本体１ａにテーブル天板５ａ，５ｂ，５ｃ，５ｄ（図１）を取付けるための設備取付部材９１の斜視図である。設備取付部材９１は、略Ｔ字形の板の左右部分を、所定の角度（例えば、９０°）で谷折りにして形成されている。ここでいう略Ｔ字形とは、Ｔ字形の左右部分の上部が、Ｔ字形の上部中央に対して僅かに突出している形状をいう。設備取付部材９１は、ポール取付部９２と設備支持部９３とからなる。
【００５３】
ポール取付部９２は、略Ｔ字形の板の縦長の部分である。ポール取付部９２は、ポール取付部９２の背面がポール本体１ａの外周面に沿うように、円弧状に湾曲して形成されている。ポール取付部９２の背面は、ポール取付面９４を形成している。ポール取付部９２の縦中心線上には、孔９５が、所定の間隔で上下に２つ設けられている。ポール取付面９４には、ゴム等の滑止剤を塗布しておくのがよい。
【００５４】
設備支持部９３は、略Ｔ字形の部材の曲折した左右の部分である。設備支持部９３上部の突出している部分は、内側に水平に曲折して、その上面は設備支持面９６を形成している。左右の設備支持面９６には、孔９７が、２つずつ設けられている。
【００５５】
図１０は、第１実施例のポール１において、ポール本体１ａに設備取付部材９１（図９）を取付けるための挟持部材１０１の斜視図である。挟持部材１０１は、縦幅が等しく、横幅の異なる２つの矩形の部材を、横幅の小さい方を上にして、中心を揃えて重合して形成されている。
【００５６】
上に重ねた部材は、凸部１０２を形成している。凸部１０２は、ポール本体１ａの開口２４ａ，２４ｂ，２４ｃ，２４ｄと等しい幅に形成されている。凸部１０２の厚みは、ポール本体１ａの開口縁部２４ａ，２４ｂ，２４ｃ，２４ｄの厚みと同じか、或いはそれより僅かに小さくするのがよい。
【００５７】
凸部１０２の下に位置する部材は、挟持基部１０３を形成している。挟持基部１０３の上面は、凸部１０２の左右に位置する部分において、挟持面１０５を形成している。
【００５８】
挟持部材１０１は、挟持面１０５がポール本体１ａの内周面に沿うように、円弧状に湾曲して形成されている。挟持面１０５には、ゴム等の滑止剤を塗布しておくのがよい。また、凸部１０２の縦中心線上には、凸部１０２と挟持基部１０３とを貫通するネジ孔１０４が設けられている。
【００５９】
図１１は、第１実施例のポール１において、ポール本体１ａに設備取付部材９１を取付けた状態を示す断面図である。設備取付部材９１をポール本体１ａの開口２４ａに取付けるときは、挟持部材１０１を、開口２４ａから空洞２１ａ内に挿入する。挟持部材１０１を、凸部１０２を開口２４ａに嵌合させて、挟持基部１０３の挟持面１０５が開口縁部２５ａ，２５ｂの内面に接する位置で保持する。設備取付部材９１を、ポール取付面９４を開口縁部２５ａ，２５ｂの外面に沿わせて保持する。このとき、設備取付部材９１は、ポール取付部９２の孔９５と挟持部材１０１のネジ孔１０４とを連通させて、取付けるテーブル天板５ａ，５ｂ，５ｃ，５ｄの高さに合わせた位置で保持するのがよい。設備取付部材９１と挟持部材１０１とは、ボルト１１１を、孔９５を通してネジ孔１０４にねじ込むことによって、一体的に固定される。開口縁部２５ａ，２５ｂは、ボルト１１１がネジ孔１０４にねじ込まれたとき、ポール取付面９４と挟持面１０５とに挟持される。これによって、設備取付部材９１は、ポール本体１ａに着脱自在に取付けられる。
【００６０】
設備取付部材９１をその他の開口２４ｂ，２４ｃ，２４ｄに取付ける場合も上記と同様である。設備取付部材９１は、ポール取付面９４と挟持面１０５とが、開口縁部２５ｃ，２５ｄ，２５ｅ，２５ｆ，２５ｇ，２５ｈを挟持するようにして、ポール本体１ａに着脱自在に取付けられる。
【００６１】
テーブル５Ａ，５Ｂをポール本体１ａに取付けるときは、ポール本体１ａに、上記のようにして設備取付部材９１を４つ取付ける。テーブル天板５ａ，５ｂ，５ｃ，５ｄは、設備取付部材９１の設備支持面９６に取付けるようにすればよい。テーブル天板５ａ，５ｂ，５ｃ，５ｄは、隣接するテーブル天板５ａ，５ｂ，５ｃ，５ｄの側面を当接させて、設備支持面９６の孔９７の下方から通したネジによって、設備取付部材９１に固定される。図１において左側に位置するポール本体１ｂに、テーブル天板５ｅ，５ｆ，５ｇ，５ｈを取付ける方法も上記と同様である。
【００６２】
次に、電話機６ａ，６ｂ，６ｃ，６ｄ（図１）のポール本体１ａ，１ｂへの取付方法について説明する。図１では、電話機６ａ，６ｂ，６ｃ，６ｄは、設備取付部材１２ａ，１２ｂ，１２ｃ，１２ｄによって、ポール本体１ａ，１ｂに取付けられている。設備取付部材１２ａ，１２ｂ，１２ｃ，１２ｄは、設備取付部材９１の設備支持部９３と、設備支持面９６に取付けた板とによって構成されている。電話機６ａ，６ｂ，６ｃ，６ｄは、設備取付部材９１の左右の設備支持面９６それぞれに、電話機を１台置くことができる大きさの板を取付けて、その上面に置けばよい。
【００６３】
図１２は、第１実施例のポール１において、ポール本体１ａに棚７ａ，７ｂ（図１）を取付けるための設備取付部材１２１の斜視図である。設備取付部材１２１は、設備支持部材１２２と補助部材１２３とからなる。
【００６４】
設備支持部材１２２は、縦幅の等しい支持基部１２４及び矩形の凸部１２５とで構成されている。
【００６５】
支持基部１２４は、立設した矩形の板の正面にポール本体１ａの外周面に沿った曲面が設けられて、形成されている。その曲面は、ポール取付面１２６を形成している。支持基部１２４の背面は、当接面１２７を形成している。
【００６６】
凸部１２５は、支持基部１２４よりも幅が小さく、ポール本体１ａの開口２４ａ，２４ｂ，２４ｃ，２４ｄに嵌合するように形成されている。
【００６７】
設備支持部材１２２は、ポール取付面１２６の中央に凸部１２５を重合した形状の部材である。凸部１２５の縦中心線上には、支持基部１２４と凸部１２５とを貫通する孔１２８が、ポール本体１ａの設備取付孔２６に対応した間隔で２つ設けられている。ポール取付面１２６には、ゴム等の滑止剤を塗布しておくのがよい。
【００６８】
補助部材１２３は、底面が直角二等辺三角形である三角柱を、直交する２側面以外の側面側からくり貫いて空洞が形成されている部材である。補助部材１２３は、設備を支持するときは、空洞を下に向けて、且つ三角柱の直交する２側面が鉛直と水平とになる向きで位置する。補助部材１２３の鉛直に位置する面は、当接面１２９を形成している。当接面１２９の縦中心線上には、設備支持部材１２２の孔１２８に対応する間隔で、孔１３０が２つ設けられている。補助部材１２３の水平に位置する面は、設備支持面１３１を形成している。
【００６９】
設備支持部材１２２の当接面１２７と補助部材１２３の当接面１２９とは、同じ形にするのがよい。これによって、設備支持部材１２２と補助部材１２３とは、一体的に連結させることができる。
【００７０】
図１３は、第１実施例のポール１において、ポール本体１ａに設備取付部材１２１を取付けた状態を示す断面図である。ここでは、２つの設備取付部材１２１が、ポール本体１ａを挟持するように位置して、ポール本体１ａに取付けられている。設備取付部材１２１をポール本体１ａに取付けるときは、一方の設備支持部材１２２の当接面１２７と、補助部材１２３の当接面１２９とを当接させて保持する。２本のボルト１３２を、補助部材１２３の内側から、補助部材１２３の孔１３０及び設備支持部材１２２の孔１２８に挿入する。このとき、設備支持部材１２２と補助部材１２３とは、ボルト１３２を介して、略一体的に保持される。この状態で、ボルト１３２を、ポール本体１ａの開口２４ｄと空洞２１ｄとを通って、設備取付孔２６に挿入する。ボルト１３２が設備取付孔２６に挿通するにつれて、設備支持部材１２２の凸部１２５は、ポール本体１ａの開口２４ｄに嵌合する。ボルト１３２は、支持基部１２４に設けられたポール取付面１２６が、ポール本体１ａの外周面に接する位置に達するまで、設備取付孔２６に押し込んでおくのがよい。これによって、一方の設備支持部材１２２と補助部材１２３とは、ボルト１３２を介して、ポール本体１ａに略一体的に保持される。このとき、ボルト１３２の先端は、開口２４ｂからポール本体１ａの外部へと突出している。
【００７１】
次に、もう一方の設備取付部材１２１を取付ける。設備支持部材１２２の当接面１２７と補助部材１２３の当接面１２９とを当接させて保持する。先に取付けた設備取付部材１２１とは逆に、ボルト１３２の先端を、設備支持部材１２２の孔１２８から挿通させて、補助部材１２３の孔１３０を通って、補助部材１２３の内側に突出させる。このとき、設備取付部材１２１は、設備支持部材１２２の凸部１２５が開口２４ｂに嵌合し、ポール取付面１２６がポール本体１ａの外周面に接する位置で、ポール本体１ａに略一体的に保持される。
【００７２】
ナット１３３を、後から取付けた設備取付部材１２１の補助部材１２３の内側に突出するボルト１３２に締付ける。これによって、この２つの設備取付部材１２１は、ポール本体１ａを両側から挟持するようにして、ポール本体１ａに一体的に固定される。設備取付部材１２１を、ポール本体１ａの別の開口２４ａ及び２４ｃに取付ける場合も、上記と同様である。
【００７３】
ポール本体１ａに棚７ａ，７ｂを取付けるときは、上記のようにしてポール本体１ａに取付けた設備取付部材１２１の設備支持面１３１上に、棚７ａ，７ｂを取付ければよい。このとき、設備支持面１３１及び棚７ａ，７ｂの底面とに孔を設けて、その孔を通したボルトにナットを締付けることによって、棚７ａ，７ｂを固定すればよい。また、設備支持面１３１に接着剤を塗布して、棚７ａ，７ｂを設備支持面１３１に固着するようにしてもよい。ポール本体１ｂに、棚７ｃ，７ｄを取付ける方法も上記と同様である。
【００７４】
図１４は、第１実施例のポール１において、ポール本体１ａに照明機器８ａ（図１）を取付けた状態を示している。照明機器８ａは、設備取付部材１４１を介して、ポール本体１ａに取付けられている。設備取付部材１４１は、図１２，１３において説明した設備支持部材１２２と、照明機器８ａ付属の支持アーム１４２とからなる。支持アーム１４２は、中空の直方体の部材である。支持アーム１４２は、一端が照明機器８ａに、他端が設備支持部材１２２の当接面１２７とに連結されている。支持アーム１４２の一端面と当接面１２７とは、同じ形にするのがよい。これによって、設備支持部材１２２と支持アーム１４２とは、一体的に連結することができる。設備取付部材１４１のポール本体１ａへの取付方法は、設備取付部材１２１（図１２，１３）のポール本体１ａへの取付方法と同様である。また、ポール本体１ｂに、照明機器８ｂを取付ける方法も上記と同様である。
【００７５】
図１５は、第１実施例のポール１において、ポール本体１ａに電気的接続部材（例えば、電源コンセント）１５１を取付けた状態を示す斜視図である。開口２４ａ，２４ｂには、設備取付部材１５２を介して電源コンセント１５１が取付けられている。電源コンセント１５１に接続されるコード１５３は、天井３に設けた孔からポール本体１ａの空洞２１ａ，２１ｂ，２１ｃ，２１ｄへと引き込むようにすればよい。設備取付部材１５２は、ネジ１５４を設備取付部材１５２の孔１６５（図１６）にねじ込むことによって、ポール本体１ａに着脱自在に取付けられている。
【００７６】
図１６は、電源コンセント１５１と設備取付部材１５２の斜視図である。電源コンセント１５１は、矩形の取付枠１６１に嵌合して一体的に固定されている。電源コンセント１５１及び取付枠１６１は、家庭やオフィス等の壁面に取付けられているものと同様である。取付枠１６１の、上部及び下部の中央には、横長の孔１６２が設けられている。
【００７７】
取付枠１６１の上下に位置している部材は、電源コンセント１５１をポール本体１ａに取付けるための設備取付部材１５２である。設備取付部材１５２は、Ｔ字形の金属板の縦長の部分を所定の位置で折り曲げることによって、挟持部１６３と圧接部１６４とを形成している。
【００７８】
挟持部１６３は、Ｔ字形の金属板の縦長の部分で形成される。その縦長の部分の縦中心線上の上部及び下部には、孔１６５及び孔１６６が設けられている。上部の孔１６５は、下部の孔１６６よりも小径である。挟持部１６３は、Ｔ字形の金属板の縦長の部分を、孔１６５と孔１６６とが僅かな隙間を保って重合するように、縦に折り曲げて形成されている。その隙間は、取付枠１６１が嵌合する挟持溝１６７を形成している。挟持部１６３の金属板の折返されている部分は、ポール本体１ａの開口２４ａ，２４ｂ，２４ｃ，２４ｄに嵌合するようになっている。圧接部１６４は、Ｔ字形の金属板の左右部分である。
【００７９】
電源コンセント１５１の取付枠１６１を挟持溝１６７に嵌合したときは、孔１６６と取付枠１６１の孔１６２と孔１６５とは、連通するようになっている。
【００８０】
図１７は、図１５のＸＶＩＩ−ＸＶＩＩ線断面図で、ポール本体１ａに電源コンセント１５１を取付けた状態を示している。ポール本体１ａの開口２４ｂに電源コンセント１５１を取付けるときは、取付枠１６１と一体的に固定されている電源コンセント１５１と、取付枠１６１の上部に取付ける設備取付部材１５２を、開口２４ｂから空洞２１ｂ内へ挿入する。
【００８１】
取付枠１６１の上部に、設備取付部材１５２の挟持溝１６７を嵌合させて、電源コンセント１５１と設備取付部材１５２とを、略一体的に保持する。このとき、設備取付部材１５２の挟持部１６３の折返し部分を開口２４ｂに嵌合させると、電源コンセント１５１の表面は開口２４ｂから突出する。この状態で、ネジ１５４を、挟持部１６３の孔１６６と取付枠１６１の孔１６２とを通して、挟持部１６３の孔１６５にねじ込んでいく。ネジ１５４は、空洞２１ｂを通って仕切り２２の中心に向かってねじ込まれる。ネジ１５４は、ネジ１５４の頭が孔１６６を覆う位置に達するまで、孔１６５にねじ込んでおく。このとき、ネジ１５４の先端は、貫通孔２３の手前で、仕切り２２の表面に当接する。
【００８２】
このようにして、ネジ１５４を孔１６５にねじ込むことによって、設備取付部材１５２の圧接部１６４は、取付枠１６１上部の左右の部分と共に開口縁部２５ｃ，２５ｄの内側に圧接する。これによって、設備取付部材１５２は、ポール本体１ａに略一体的に保持される。上記と同様にして、もう１つの設備取付部材１５２を、取付枠１６１の下部に取付ける。これによって、電源コンセント１５１は、取付枠１６１の上下に取付けられた設備取付部材１５２を介して、ポール本体１ａに着脱自在に取付けられる。
【００８３】
上記と同様にして、ポール本体１ａ，１ｂには、他にも同軸ケーブル用及びＬＡＮケーブル用のコンセント、モジュラージャック、及び電源スイッチを取付けるのがよい。これによって、電話機６ａ，６ｂ，６ｃ，６ｄを電源及び電話回線に接続することができる。また、照明機器８ａ，８ｂへの電源供給の有無を、電源スイッチによって、任意に切り替えることができる。他にも、パソコン１１ａ，１１ｂ，１１ｃ，１１ｄ，１１ｅ，１１ｆ，１１ｇ，１１ｈを、電源及びＬＡＮに接続することができる。
【００８４】
上記のように、本発明のポール本体１ａ，１ｂをオフィスに設置したときは、設備を立体的に配置することができる。また、ポール本体１ａ，１ｂは１本だけでも任意の場所に設置することができるため、効率的にスペースを利用して設備を適切に配置することができる。
【００８５】
以上、第１実施例について説明したが、本発明はこれに限られるものではない。
【００８６】
図１８は、第２実施例のポール１８１を適用した部屋の一部を示している。ここでは、ポール本体１８１ａが、部屋の床１８２に置かれているテーブル１８５の上面中央と、天井１８３との間に鉛直に設置されている。ポール本体１８１ａの構造は、第１実施例のポール本体１ａ，１ｂ（図２）と同様である。
【００８７】
ポール本体１８１ａの下部は、下部固定部材３１（図３）によって、テーブル１８５の上面に固定すればよい。ポール本体１８１ａの上部は、上部固定部材６１（図６）によって、天井１８３に固定すればよい。このとき、テーブル１８５の脚の下部は、適宜の手段によって、床１８２に固定するのがよい。
【００８８】
テーブル１８５の周囲には、６脚の椅子１８４ａ，１８４ｂ，１８４ｃ，１８４ｄ，１８４ｅ，１８４ｆが配置されて、６人が腰掛けて会話等ができるようになっている。ポール本体１８１ａには、テレビ１８６が、椅子１８４ａ，１８４ｂ，１８４ｃ，１８４ｄ，１８４ｅ，１８４ｆに腰掛けた人が見やすい高さに取付けられている。テレビ１８６を取付けるときは、第１実施例で説明した設備取付部材のうち、テレビ１８６の構造に対応する適宜のものを使用すればよい。ポール本体１８１ａの上部には、天井１８３の下方に、照明機器（例えば、蛍光灯）１８８が取付けられて、支持されている。照明機器１８８は、照明機器８ａ（図１４）と同様にして、ポール本体１８１ａに取付ければよい。
【００８９】
ポール本体１８１ａには、電源コンセント、同軸ケーブル用コンセント、及び電源スイッチを取付けるのがよい。このとき、それぞれの電気的接続部材に対応するコードを、天井１８３の裏側からポール本体１８１ａの空洞内に引き込んでおくのがよい。これによって、テレビ１８６を、電源及びアンテナに接続することができる。また、照明機器１８８への電源供給の有無を、電源スイッチによって、任意に切り替えることができる。
【００９０】
図１９は、第３実施例のポール１９１を適用した部屋の一部を示している。ここでは、２組のポール本体１９１ａ，１９１ｂが、床１９２と天井１９３との間に鉛直に設置されている。ポール本体１９１ａ，１９１ｂの床１９２と天井１９３との固定方法は、第１実施例と同様である。
【００９１】
第３実施例では、複数の設備が２組のポール本体１９１ａ，１９１ｂによって支持されている。例えば、テーブル天板１９５及び照明機器（例えば、蛍光灯）１９８は、ポール本体１９１ａ，１９１ｂの間に亘って取付けられている。テーブル天板１９５は、設備取付部材９１（図９）によって、ポール本体１９１ａ，１９１ｂに取付けるようにすればよい。照明機器１９８は、設備取付部材１９９によって、ポール本体１９１ａ，１９１ｂに取付けられている。テーブル天板１９５の傍には、椅子１９４が据えられている。テーブル天板１９５の上面には、本体を含むモニタ２００とキーボード２０１とからなるパソコン２０２が配置されており、椅子１９４に腰掛けて、パソコン２０２を操作できるようになっている。図において左側のポール本体１９１ｂは、テーブル天板１９５の上方で、設備取付部材１９７を介して、電話機１９６を支持している。設備取付部材１９７は、第１実施例の設備取付部材９１（図９）の設備支持部９３と、設備支持面９６に取付けられた板とによって構成されている。電話機１９６は、その板の上面に置かれている。
【００９２】
図２０は、第３実施例のポール１９１において、ポール本体１９１ａ，１９１ｂに照明機器１９８を取付けるための設備取付部材１９９の斜視図である。設備取付部材１９９は、照明機器１９８付属の支持アーム２０４、第１実施例で説明した設備支持部材１２２及び挟持部材２０６（図１２）とで構成されている。
【００９３】
支持アーム２０４は、横長に位置する中空の四角柱の部材である。支持アーム２０４の一端は、照明機器１９８の側面に取付けられている。支持アーム２０４の他端面の縦中心線上には、設備支持部材１２２の孔１２８に対応した間隔で、孔２０５が２つ設けられている。設備支持部材１２２の当接面１２７と、支持アーム２０４の端面とは、同じ形にするのがよい。これによって、設備支持部材１２２と支持アーム２０４とを、一体的に連結させることができる。
【００９４】
挟持部材２０６は、底面が直角二等辺三角形である三角柱の側面が直交する部分に、全長に亘って丸みを持たせてある略三角柱部材である。挟持部材２０６の丸みの部分及び直交していた２側面は、略直角面２０７を形成している。挟持部材２０６の略直角面２０７以外の側面の縦中心線上には、設備支持部材１２２の孔１２８に対応した間隔で、孔２０８が２つ設けられている。孔２０８は、略直角面２０７の丸みの部分に貫通している。
【００９５】
図２１は、第３実施例のポール１９１において、ポール本体１９１ａに設備取付部材１９９を取付けた状態を示す断面図である。ポール本体１９１ａの周壁には、第１実施例のポール本体１ａ（図２）と同様に、空洞２１１ａ，２１１ｂ，２１１ｃ，２１１ｄと、それと連通する開口２１４ａ，２１４ｂ，２１４ｃ，２１４ｄとが設けられている。開口２１４ａ，２１４ｂ，２１４ｃ，２１４ｄの縁をなす部分は、開口縁部２１５ａ，２１５ｂ，２１５ｃ，２１５ｄ，２１５ｅ，２１５ｆ，２１５ｇ，２１５ｈを形成している。
【００９６】
設備取付部材１９９を、ポール本体１９１ａに取付けるときは、支持アーム２０４の一端面と、設備支持部材１２２の当接面１２７とを当接させて保持する。２本のボルト２１８を、支持アーム２０４の内側から、支持アーム２０４の孔２０５及び設備支持部材１２２の孔１２８に挿入する。ボルト２１８は、ボルト２１８の頭が、孔２０５を覆う位置に達するまで挿入しておく。
【００９７】
支持アーム２０４と設備支持部材１２２とを略一体的に保持したまま、ボルト２１８を、ポール本体１９１ａの開口２１４ｄから空洞２１１ｄを通って、ポール本体１９１ａの仕切り２１２に設けられている設備取付孔２１６に挿入する。ボルト２１８が設備取付孔２１６に挿通するにつれて、設備支持部材１２２の凸部１２５は、開口２１４ｄに嵌合する。ボルト２１８は、設備支持部材１２２のポール取付面１２６が、ポール本体１９１ａの外周面に接する位置に達するまで、設備取付孔２１６に押し込んでおく。このとき、ボルト２１８の先端は、設備取付孔２１６を貫通して、仕切り２１２が形成する後述の略直角溝２１７ｂ内に突出する。これによって、支持アーム２０４と設備支持部材１２２とは、ポール本体１９１ａに略一体的に保持される。
【００９８】
略直角溝２１７ａ，２１７ｂ，２１７ｃ，２１７ｄについて説明する。ポール本体１９１ａの仕切り２１２は、立設した４枚の矩形の平板を、それぞれの一側面をポール本体１９１ａの中心に沿わせて、９０°間隔で十字形に配置して形成されている。これによって、仕切り２１２は、ポール本体１９１ａの内部を、半径方向に十字に仕切っている。仕切り２１２は、平板が直交する部分に丸みを持たせて略直角の部分を形成している。この略直角の部分を、略直角溝２１７ａ，２１７ｂ，２１７ｃ，２１７ｄという。略直角溝２１７ａ，２１７ｂ，２１７ｃ，２１７ｄは、挟持部材２０６の略直角面２０７が嵌合するように形成されている。
【００９９】
続いて、挟持部材２０６を開口２１４ｂから空洞２１１ｂに挿入する。挟持部材２０６は、孔２０８にボルト２１８を挿通させて、略直角面２０７が略直角溝２１７ｂに嵌合するように押し込んでおく。このとき、ボルト２１８の先端は、孔２０８を貫通して、空洞２１１ｂ内に突出する。設備取付部材１９９は、ナット２１９を、空洞２１１ｂ内に突出しているボルト２１８に締付けることによって、ポール本体１９１ａに着脱自在に取付けられる。設備取付部材１９９は、設備支持部材１２２と挟持部材２０６とによって、ポール本体１９１ａの一部を挟持するようにして、ポール本体１９１ａに一体的に固定される。照明機器１９８（図１９）は、ポール本体１９１ａ，１９１ｂに取付けられた設備取付部材１９９を介して、立体的に配置されている。
【０１００】
また、ポール本体１９１ａ，１９１ｂには、電源コンセント、電源スイッチ、モジュラージャック、及びＬＡＮケーブル用のコンセントを取付けるのがよい。このとき、それぞれのコンセントに対応するコードを天井１９３の裏側から空洞２１１ａ，２１１ｂ，２１１ｃ，２１１ｄに引き込んでおくのがよい。これによって、照明機器１９８への電源供給の有無を電源スイッチによって任意に切り替えることができる。また、電話機１９６を電源及び電話回線に接続することができる。さらに、パソコン２０２を電源及びＬＡＮに接続することができる。
【０１０１】
上記の３通りの実施例では、ポール１，１８１，１９１は、鉛直に設置されているが、これに限られるものではない。
【０１０２】
図２２は、第４実施例のポール２２１において、ポール本体２２１ａに別のポール２２２のポール本体２２２ａを垂直に取付けた状態を示す斜視図である。鉛直に立設するポール本体２２１ａに、ポール本体２２１ａよりも小径のポール本体２２２ａが垂直に取付けられている。ポール本体２２１ａ及びポール本体２２２ａの構造は、第１実施例のポール１ａ（図２）と同様である。ポール本体２２１ａの周壁には、上から見て時計回りに、空洞２２８ａ，２２８ｂ，２２８ｃ，２２８ｄと、それと連通する開口２２４ａ，２２４ｂ，２２４ｃ，２２４ｄとが設けられている。ポール本体２２１ａの開口２２４ａ，２２４ｂ，２２４ｃ，２２４ｄの縁をなす部分は、開口縁部２２５ａ，２２５ｂ，２２５ｃ，２２５ｄ，２２５ｅ，２２５ｆ，２２５ｇ，２２５ｈを形成している。ポール本体２２２ａの周壁には、この図において反時計回りに、空洞２２９ａ，２２９ｂ，２２９ｃ，２２９ｄと、それと連通する開口２２６ａ，２２４ｂ，２２６ｃ，２２６ｄとが設けられている。ポール本体２２２ａの開口２２６ａ，２２４ｂ，２２６ｃ，２２６ｄの縁をなす部分は、開口縁部２２７ａ，２２７ｂ，２２７ｃ，２２７ｄ，２２７ｅ，２２７ｆ，２２７ｇ，２２７ｈを形成している。ポール本体２２１ａの立設方法は、上記実施例のいずれの方法でもよい。
【０１０３】
ポール本体２２２ａの一端は、ポール本体２２１ａの外周面に沿うように円弧状に切り欠かれて、ポール連結部２２３を形成している。ポール連結部２２３は、ポール本体２２１ａにポール本体２２２ａを垂直に取付けたときは、例えば、ポール本体２２１ａの開口２２４ａと、ポール本体２２２ａの開口２２６ａ及び開口２２６ｃとが連続的な配置となるように形成されている。
【０１０４】
図２３は、図２２のＸＸＩＩＩ−ＸＸＩＩＩ線断面図である。ポール本体２２１ａ，２２２ａには、第１実施例のポール本体１ａ（図２）と同様に、仕切り２３６，２３７には設備取付孔２３４，２３５が設けられている。また、ポール本体２２１ａの仕切り２３６には、第２実施例のポール本体１９１ａ（図２１）と同様に、略直角溝２３８ａ，２３８ｂ，２３８ｃ，２３８ｄが形成されている。
【０１０５】
ポール本体２２２ａは、フック部材２３１を介して、ポール本体２２１ａに垂直に取付けられている。フック部材２３１は、ポール本体２２１ａ，２２２ａの設備取付孔２３４，２３５よりも僅かに小径のステンレス鋼等の金属棒を変形させた部材である。フック部材２３１は、フック部２３２と雄ネジ部２３３とからなる。
【０１０６】
フック部２３２は、金属棒の半分を、鉤状に折り曲げて形成されている。フック部２３２の先端部分は、金属棒の残り半分に対して垂直に位置している。雄ネジ部２３３は、金属棒の残り半分の周面にネジ山を設けることによって形成されている。
【０１０７】
ポール本体２２１ａにポール本体２２２ａを垂直に取付けるときは、フック部材２３１のフック部２３２の先端部分を、ポール本体２２２ａのポール連結部２２３から、空洞２２９ｂに挿入する。フック部材２３１の先端部分は、空洞２２９ｂから、貫通孔２４０を垂直に横切る設備取付孔２３５を通って、空洞２２９ｄ内に突出させておく。
【０１０８】
ポール本体２２２ａとフック部材２３１とを略一体的に保持したまま、雄ネジ部２３３の先端を、ポール本体２２１ａの開口２２４ａから空洞２２８ｄを通って、設備取付孔２３４に挿入する。雄ネジ部２３３は、ポール本体２２２ａのポール連結部２２３が、ポール本体２２１ａの外周面に接する位置に達するまで、設備取付孔２３４に挿入しておく。このとき、雄ネジ部２３３の先端は、設備取付孔２３４を貫通して、仕切り２３６が形成する略直角溝２３８ｂ内に突出する。
【０１０９】
挟持部材２０６を、雄ネジ部２３３が孔２０８に挿通するようにして、略直角面２０７が略直角溝２３８ｂに嵌合するように押し込む。挟持部材２０６は、第３実施例の図２０で説明したものと同様である。このとき、雄ネジ部２３３の先端は、孔２０８を貫通して、空洞２２８ｂ内に突出する。ナット２３９を、空洞２２８ｂ内に突出する雄ネジ部２３３に締付ける。フック部材２３１は、ナット２３９が雄ネジ部２３３に締付けられるにつれて、フック部２３２がポール本体２２２ａの設備取付孔２３５に係止した状態で、ポール本体２２２ａをポール本体２２１ａに向かって引き寄せる。これによって、ポール本体２２２ａのポール連結部２２３は、ポール本体２２１ａの外周面に圧接する。ポール本体２２２ａは、ポール連結部２２３と挟持部材２０６とによって、ポール本体２２１ａの一部を挟持するようにして、ポール本体２２１ａに垂直に固定される。
【０１１０】
上記のようにして、ポール本体２２２ａをポール本体２２１ａに垂直に設置することによって、設備は、水平に位置するポール本体２２２ａに取付けることもできる。例えば、ポール本体２２２ａの上部に位置する開口２２６ａ（図２２）に設備支持部材１２２（図１２）を取付けて、設備支持部材１２２の当接面１２７に設備を取付けるようにしてもよい。さらに、天井裏からポール本体２２１ａの空洞２２８ａ，２２８ｂ，２２８ｃ，２２８ｄに引き込んだ電源コード等を、ポール本体２２２ａの空洞２２９ａ，２２９ｂ，２２９ｃ，２２９ｄに引き込むことができる。そして、水平に位置するポール本体２２２ａの開口２２６ａ，２２４ｂ，２２６ｃ，２２６ｄに電気的接続部材を取付けることによって、電気機器を電源や通信路に容易に接続することができる。
【０１１１】
上記実施例では、いずれのポール本体の開口も開いたままになっているが、これに限られるものではない。例えば、ポール本体の開口を適宜の手段によって覆うようにしてもよい。図２４は、第５実施例のポール２４１において、ポール本体２４１ａへの開口カバー２４２の取付けを示す斜視図である。
【０１１２】
この実施例のポール本体２４１ａの構造も、第１実施例のポール本体１ａ（図２）とほぼ同様である。ポール本体２４１ａは、仕切り２４３で内部を半径方向に十字に仕切ることにより、上から見て時計回りに４つの空洞２４４ａ，２４４ｂ，２４４ｃ，２４４ｄが形成されている。ポール本体２４１ａの周壁には、空洞２４４ａ，２４４ｂ，２４４ｃ，２４４ｄと連通する開口２４５ａ，２４５ｂ，２４５ｃ，２４５ｄが設けられている。ポール本体２４１ａの開口２４５ａ，２４５ｂ，２４５ｃ，２４５ｄの縁をなす部分は、開口縁部２４６ａ，２４６ｂ，２４６ｃ，２４６ｄ，２４６ｅ，２４６ｆ，２４６ｇ，２４６ｈを形成している。仕切り２４３の中心には、貫通孔２４７が設けられている。ポール本体２４１ａとポール１ａとの構造上の相違は、ポール本体２４１ａの開口縁部２４６ａ，２４６ｂ，２４６ｃ，２４６ｄ，２４６ｅ，２４６ｆ，２４６ｇ，２４６ｈには、後述の凸部２５１（図２５）が形成されていることである。
【０１１３】
図示の例では、ポール本体２４１ａの３つの開口２４５ｂ，２４５ｃ，２４５ｄには、既に開口カバー２４２が取付けられて、残り１つの開口２４５ａにも開口カバー２４２が取付けられようとしている。開口カバー２４２は、開口２４５ａ，２４５ｂ，２４５ｃ，２４５ｄに取付けられたときは、開口カバー２４２の外周面とポール本体２４１ａの外周面とが一体的となるように形成されている。また、開口２４５ｄには、電気的接続部材（例えば、電源コンセント）２４８が取付けられている。この開口２４５ｄを覆う開口カバー２４２は、電源コンセント２４８の表面がポール本体２４１ａの外部へ露出するようにして、電源コンセント２４８の上下に取付けられている。電源コンセント２４８の取付方法は、第１実施例の電源コンセント１５１（図１５）と同様である。電源コンセント２４８は、開口２４５ｄに取付けたときは、その表面が開口２４５ｄからポール本体２４１ａの外部に突出しないような構造のものを使用するのがよい。
【０１１４】
第５実施例のポール本体２４１ａは、全ての開口２４５ａ，２４５ｂ，２４５ｃ，２４５ｄが開口カバー２４２で覆われたときは、外周面に殆ど凹凸のない円柱となる。このため、ポール２４１がオフィス等に設置されたとき、ポール本体２４１ａの空洞２４４ａ，２４４ｂ，２４４ｃ，２４４ｄ内を通っているコード類が露出せず、見栄えも格段に良くなる。
【０１１５】
図２５は、第５実施例のポール２４１において、開口カバー２４２を取付けたポール本体２４１ａの一部を示す横断面図である。
【０１１６】
ポール本体２４１ａの開口縁部２４６ａ，２４６ｂ，２４６ｃ，２４６ｄ，２４６ｅ，２４６ｆ，２４６ｇ，２４６ｈの開口に面した側面には、その上下方向全長に亘って凸部２５１が形成されている。
【０１１７】
開口カバー２４２は、ポール本体２４１の周壁よりも薄い平板で形成されている。開口カバー２４２は、その１つの平面がポール本体２４１ａの外周面と等しい曲率で折り曲げて形成されている。このため、開口カバー２４２が開口２４５ａに取付けられたときは、ポール本体２４１ａの外周面と開口カバー２４２の外周面は、同一の曲面として一体化される。開口カバー２４２の左右両端部は、開口カバー２４２の全長に亘ってカバー縁部２５２として形成されている。開口カバー２４２の内周面の左右端部には、カバー縁部２５２よりも内側の位置に、開口カバー２４２の全長に亘って平行に延びた一対の立設片２５３が一体的に設けられている。一対の立設片２５３の間は、開口カバー２４２の全長に亘って溝２５４となっている。各一対の立設片２５３のうち、開口カバー２４２の中心側に位置する立設片２５３は、その端縁部が溝２５４側に少し突出しており、この突出部分は、立設片２５３の全長に亘って設けられ、係止部２５５を形成している。
【０１１８】
上記開口カバー２４２は、略Ｓ字状の係止部材２５６を介して、ポール本体２４１ａの開口２４５ａに取付けられる。各係止部材２５６は、所定の幅（例えば、１ｃｍ）の弾性板を略Ｓ字状に縦方向に屈曲した形状に作られ、一端部は、上記開口カバー２４２の溝２５４に嵌合するように曲折され、他端部は、前述のポール本体２４１ａの開口縁部２４６ａ，２４６ｂ，２４６ｃ，２４６ｄ，２４６ｅ，２４６ｆ，２４６ｇ，２４６ｈの側面に形成された凸部２５１に係合する挟持部２５７となっている。
【０１１９】
開口カバー２４２を開口２４５ａに取付けるときは、開口カバー２４２の溝２５４に、係止部材２５６の一端部を嵌合させる。このとき、一端部の先端は、溝２５４の内側から立設片２５３の係止部２５５に当接して止められる。これにより、係止部材２５６は、溝２５４に嵌合して開口カバー２４２と一体的に保持される。尚、係止部材２５６は、開口カバー２４２の全長に亘って所定の間隔（例えば、３０ｃｍ間隔）で溝２５４に嵌め込んでおくのがよい。
【０１２０】
次に、開口カバー２４２を、その内周面側を開口２４５ａに向けて開口２４５ａ内に嵌め込む。このとき、係止部材２５６の挟持部２５７が、ポール本体２４１ａの凸部２５１に当たり、弾性的に変形して凸部２５１を乗り越えると、図２５に示すように、開口カバー２４２の左右両側のカバー縁部２５２が、凸部２５１に係止される。その結果、開口カバー２４２は、左右のカバー縁部２５２と係止部材２５６の挟持部２５７とでポール本体２４１ａの凸部２５１を挟持することにより、開口２４５ａ内に嵌合して保持される。開口カバー２４２を、その他の開口２４５ｂ，２４５ｃ，２４５ｄにも取付けるときも上記と同様である。
【０１２１】
以上、実施例について説明したが、本発明はこれに限られるものではない。
【０１２２】
第１実施例では、下部固定部材３１（図３１）の台座部３２と立設部３３が一体に形成されているが、例えば、図２６に示すように、下部固定部材２６１は、台座部２６２と立設部２６３との組み合わせにより形成されるようにしてもよい。この台座部２６２及び立設部２６３の基本的な構造は、第１実施例の下部固定部材３１の台座部３２及び立設部３３と同様である。すなわち、円形の台座部２６２の外周面は、下方に向かって拡大するテーパ状に形成され、台座部２６２の中央には、上方から、ポール本体１ａの外径と等しい直径の円形陥部２６４が設けられている。円形陥部２６４の周壁は、摺合面２６５として形成され、底面には、台座部２６２を貫通する孔２６６が、円形陥部２６４の同心円上に９０°間隔で４つ設けられている。また、立設部２６３は、台座部２６２の円形陥部２６４の直径と等しい直径の円板２６７の上面に、略直角部材２６８をその略直角の部分を円板２６７の中心に向けて所定の間隔で立設して形成されている。この略直角部材２６８同士の間隔は、ポール本体１ａの仕切り２２を嵌合するための十字形の嵌合溝２６９を形成している。略直角部材２６８には、孔２７０が、上下に２個ずつ、２列に亘って設けられている。
【０１２３】
下部固定部材２６１は、立設部２６３の底面をなしている円板２６７を台座部２６２の円形陥部２６４に嵌合することで形成される。そして、この円板２６７には、円形陥部２６４の底面に設けられた孔２６６に対応する位置に孔２７１を設けておけば、第１実施例の下部固定部材３１を用いたときと同様の方法で、ポール本体１ａの下部をオフィスの床２に固定することができる。立設部２６３は、強靭な金属で形成することが好ましく、台座部２６２は、金属やゴム等適宜の素材で形成することができる。また、ポール本体１ａの下部を床２に固定するときは、台座部２６２を省いて、ポール本体１ａの下端に取付けた立設部２６３を床２に直接固定するようにしてもよい。
【０１２４】
第１実施例では、下部固定部材３１は、床に打ち込まれたアンカーボルト４４を介して固定されているが、これに限られるものではない。例えば、下部固定部材３１の下面にゴム等の滑止剤を塗布しておき、下部固定部材３１の水平方向の移動を防止することによって、ポール本体１ａの下部を床２と略一体的に固定するようにしてもよい。また、ポール１は、ポール本体１ａの上部及び下部に取付けた固定部材を床２と天井３の両方に固定することによって、立設するようにしてもよい。他にも、ポール１は、ポール本体１ａの上部及び下部に取付けた圧接部材６４によって、立設するようにしてもよい。さらに、ポール１は、屋外に設置するときは、地面に打った基礎にポール本体１ａの下部を固定して、立設させてもよい。
【０１２５】
第１実施例では、圧接部材６４（図６）の仕切り７０の中心には、ポール本体１ａと同様にして貫通孔７９が設けられているが、これに限られるものではない。仕切り７０の下面中央に設けたネジ孔に、ネジ部材６３（図６）をねじ込むことによって、ネジ部材６３と圧接部材６４とを一体的に固定するようにしてもよい。
【０１２６】
実施例では、ポール本体の上部は天井に固定されているが、これに限られるものではない。電源やＬＡＮ等のコードを挿通した配線ダクトを天井に沿って設置して、その配線ダクトにポール本体の上部を固定するようにしてもよい。これによって、コードは、配線ダクトからポール本体の空洞内に引き込むことができる。
【０１２７】
実施例では、ポールが設置されたときは、ポール本体の上部が天井に固定されているが、これに限られるものではない。ポールは、ポール本体の下部を床又は地面に固定して、上部は天井に固定しないようにしてもよい。これによって、立設したポール本体の上端に設備を取付けることもできる。
【０１２８】
実施例では、少なくとも１本のポール本体が鉛直に設置されているが、これに限られるものではない。ポール本体は、対向する壁等の間に水平に設置するようにしてもよい。これによって、一層空間を利用して設備を配置することができる。
【０１２９】
実施例では、ポールを設置する場所としてオフィス又は部屋が提案されているが、これに限られるものではない。ポールは、学校の教室等、工場、サーバ室、店舗、倉庫、又は病院の手術室や病室等その他の場所に設置してもよい。
【０１３０】
実施例では、設備取付部材は、ポール本体の全長に亘って設けられた開口に取付けられているが、これに限られるものではない。例えば、ポール本体の外周面にネジ孔を設けておき、設備取付部材の適宜の箇所に設けた孔に通したボルトやネジを、そのネジ孔にねじ込むことによって、設備取付部材をポール本体に着脱自在に固定するようにしてもよい。このとき、ポール本体の周壁には、コードを挿通可能な孔を設けておけば、その孔から引き出したコードによって、電気機器を電源や通信路に接続することができる。
【０１３１】
実施例では、照明機器は、照明機器に付属の支持アームを含む設備取付部材を介して、ポール本体に保持されているが、これに限られるものではない。照明機器以外の設備も、設備に付属している設備取付部材を介してポール本体に取付けるようにしてもよい。
【０１３２】
実施例では、ポールは、電気機器として照明機器、パソコン、電話機、又はテレビを保持しているが、これに限られるものではない。ポールは、プリンタ、スキャナ等その他の電気機器を保持するようにしてもよい。
【０１３３】
実施例では、ポール本体は、アルミニウム合金等の軽量且つ強靭な材質のものを使用しているが、これに限られるものではない。例えば、ポール本体は、他の金属、木、樹脂等の塑性の材質で容易に加工できるものを使用すればよい。
【０１３４】
実施例では、椅子は床に据えられているが、これに限られるものではない。例えば、第４実施例の水平に位置するポール本体２２２ａ（図２２）に、椅子の座面と背もたれとを取付けるようにしてもよい。
【０１３５】
実施例では、ポール本体の空洞に挿通するコードは、天井裏から引き込まれているが、これに限られるものではない。例えば、コードは、下部固定部材３１（図３）の円形陥部３４の底面に孔を設けて、床下からその孔を通して空洞に引き込むようにしてもよい。
【０１３６】
実施例では、ポール本体の仕切りには設備取付孔（例えば、設備取付孔２６（図２））が初めから設けられているが、これに限られるものではない。例えば、設備取付孔は、設備を支持する高さに合わせて適宜設けるようにしてもよい。
【図面の簡単な説明】
【図１】第１実施例のポールを適用したオフィスの一部を示す図。
【図２】第１実施例のポールにおけるポール本体の斜視図であり、（Ａ）はこのポール本体の正面側から見た図、（Ｂ）はその側面図。
【図３】第１実施例の下部固定部材の平面図。
【図４】第１実施例のポール本体の下部を床に固定した状態を示す断面図。
【図５】図４のＶ−Ｖ線断面図。
【図６】第１実施例の上部固定部材の構成を示す分解斜視図。
【図７】図６のナット部材のＶＩＩ−ＶＩＩ線断面図。
【図８】第１実施例のポールにおいて、ポール本体の上部に上部固定部材を取付けた状態を示す斜視図。
【図９】第１実施例のポールにおいて、ポール本体にテーブル天板を取付けるための設備取付部材の斜視図。
【図１０】第１実施例の挟持部材の斜視図。
【図１１】図９の設備取付部材をポール本体に取付けた状態を示す断面図。
【図１２】第１実施例のポールにおいて、ポール本体に棚を取付けるための設備取付部材の斜視図。
【図１３】図１２の設備取付部材をポール本体に取付けた状態を示す断面図。
【図１４】第１実施例のポールにおいて、ポール本体に照明機器を取付けた状態を示す透視図。
【図１５】第１実施例のポールにおいて、ポール本体に電気的接続部材を取付けた状態を示す斜視図。
【図１６】図１５の電気的接続部材と設備取付部材の斜視図。
【図１７】図１５のＸＶＩＩ−ＸＶＩＩ線断面図。
【図１８】第２実施例のポールを適用した部屋の一部を示す図。
【図１９】第３実施例のポールを適用した部屋の一部を示す図。
【図２０】第３実施例のポールにおいて、ポール本体に照明機器を取付けるための設備取付部材の斜視図。
【図２１】図２０の設備取付部材をポール本体に取付けた状態を示す断面図。
【図２２】第４実施例のポールにおいて、ポール本体に別のポールのポール本体を垂直に取付けた状態を示す斜視図。
【図２３】図２２のＸＸＩＩＩ−ＸＸＩＩＩ線断面図。
【図２４】第５実施例のポールにおいて、ポール本体への開口カバーの取付けを示す斜視図。
【図２５】第５実施例のポールにおいて、開口カバーを取付けたポール本体の一部を示す横断面図。
【図２６】図３の下部固定部材の別の構成を示す断面図。
【符号の説明】
１，１８１，１９１，２２１，２２２，２４１…ポール、１ａ，１ｂ，１８１ａ，１９１ａ，１９１ｂ，２２１ａ，２２２ａ，２４１ａ…ポール本体、２…床、３…天井、４Ａ，４Ｂ…島、５Ａ，５Ｂ，１８５…テーブル、５ａ，５ｂ，５ｃ，５ｄ，５ｅ，５ｆ，５ｇ，５ｈ…テーブル天板、６ａ，６ｂ，６ｃ，６ｄ…電話機、７ａ，７ｂ，７ｃ，７ｄ…棚、８ａ，８ｂ…照明機器、９…モニタ、１０…キーボード、１１ａ，１１ｂ，１１ｃ，１１ｄ，１１ｅ，１１ｆ，１１ｇ，１１ｈ…パソコン、１２ａ，１２ｂ，１２ｃ，１２ｄ，９１，１２１，１４１，１５２，１９７，１９９，…設備取付部材、１３ａ，１３ｂ，１３ｃ，１３ｄ，１３ｅ，１３ｆ，１３ｇ，１３ｈ…椅子、２１ａ，２１ｂ，２１ｃ，２１ｄ，７１ａ，７１ｂ，７１ｃ，７１ｄ…空洞、２２，７０…仕切り、２３，７９…貫通孔、２４ａ，２４ｂ，２４ｃ，２４ｄ，７２ａ，７２ｂ，７２ｃ，７２ｄ…開口、２５ａ，２５ｂ，２５ｃ，２５ｄ，２５ｅ，２５ｆ，２５ｇ，２５ｈ，７３ａ，７３ｂ，７３ｃ，７３ｄ，７３ｅ，７３ｆ，７３ｇ，７３ｈ…開口縁部、２６…設備取付孔、３１…下部固定部材、３２…台座部、３３…立設部、３４…円形陥部、３５…摺合面、３６，３９，４１，９５，９７，１２８，１３０，１６２，１６５，１６６，２０５，２０８，２７１…孔、３７…略直角部材、３８…嵌合溝、４２，１１１，１３２，２１８…ボルト、４３，４５，７８，１３３，２１９…ナット、４４…アンカーボルト、６１…上部固定部材、６２…ナット部材、６３…ネジ部材、６４…圧接部材、６５…座付ナット、６６…ナット保持部、６７…嵌合溝、６８…当接部、６９…円形開口、７４…座面、７５…周縁部、９２…ポール取付部、９３…設備支持部、９４，１２６…ポール取付面、９６，１３１…設備支持面、１０１，２０６…挟持部材、１０２，１２５…凸部、１０３…挟持基部、１０４…ネジ孔、１０５…挟持面、１２２…設備支持部材、１２３…補助部材、１２４…支持基部、１２７，１２９…当接面、１４２，２０４…支持アーム、１５１…電源コンセント、１５３…コード、１５４…ネジ、１６１…取付枠、１６３…挟持部、１６４…圧接部、１６７…挟持溝、１８６…テレビ、２０７…略直角面、２１７ａ，２１７ｂ，２１７ｃ，２１７ｄ，２３８ａ，２３８ｂ，２３８ｃ，２３８ｄ…略直角溝、２２３…ポール連結部，フック部材２３１、フック部２３２、雄ネジ部２３３、２４２…開口カバー、２５１…凸部、２５２…カバー縁部、２５３…立設片、２５４…溝、２５５…係止部、２５６…係止部材、２５７…挟持部、２６７…円板。
【図１】
2004293082.tif 000003
【図２】
2004293082.tif 000004
【図３】
2004293082.tif 000005
【図４】
2004293082.tif 000006
【図５】
2004293082.tif 000007
【図６】
2004293082.tif 000008
【図７】
2004293082.tif 000009
【図８】
2004293082.tif 000010
【図９】
2004293082.tif 000011
【図１０】
2004293082.tif 000012
【図１１】
2004293082.tif 000013
【図１２】
2004293082.tif 000014
【図１３】
2004293082.tif 000015
【図１４】
2004293082.tif 000016
【図１５】
2004293082.tif 000017
【図１６】
2004293082.tif 000018
【図１７】
2004293082.tif 000019
【図１８】
2004293082.tif 000020
【図１９】
2004293082.tif 000021
【図２０】
2004293082.tif 000022
【図２１】
2004293082.tif 000023
【図２２】
2004293082.tif 000024
【図２３】
2004293082.tif 000025
【図２４】
2004293082.tif 000026
【図２５】
2004293082.tif 000027
【図２６】
2004293082.tif 000028